(57)【要約】【課題】原稿台の大きさよりも大きな原稿シートであっても、該原稿シート上の画像情報を読み取ることが可能な原稿読取装置を提供する。【解決手段】ユーザが載置したＡ３サイズの原稿シート９は、その略半分をＡＤＦにより、原稿台６の横手方向一端側から他端側に向けて、原稿台６上の読み取り可能な領域に収まるまで紙送りされる。読取ヘッド３は、そのホームポジションにて固定される。原稿シート９が読み取り可能な領域に収まったと認識すると、読取ヘッド３は、原稿台６上のＸ側へ移動しつつ、読取動作を実行する。読取ヘッド３がＸ側の端まで到達したことを認識すると、原稿シート９の残り略半分を読み取り可能な領域に収まるまで紙送りする。読取ヘッド３は、原稿台６上のＸ'側へ移動しつつ、読取動作を実行する。読み取った複数の画像情報は合成される。【選択図】図７
2007214982.tif 000002
【特許請求の範囲】
【請求項１】
略矩形状を呈する原稿台の横手方向に沿って原稿シートを往／復動自在に搬送する搬送機構と、
前記搬送機構の原稿シート搬送方向と略直交する前記原稿台の長手方向に沿って往／復動自在な、前記原稿台の横手方向と略同一の長さを有する読取ヘッド機構と、
前記搬送機構と、前記読取ヘッド機構とを制御する制御手段と、
択一的に設定される原稿読取モードであって、前記原稿台の大きさと略同一の面積を有する原稿シート上の情報を読み取る第１のモード、前記原稿台の大きさの略２倍の面積を有する原稿シート上の情報を読み取る第２のモード、及び前記第２のモードにおける読取り対象である原稿シートよりも更に長尺な原稿シート上の情報を読み取る第３のモードを備え、
前記制御手段が、前記設定されたいずれか１つのモードに基づき、前記搬送機構又は前記読取ヘッド機構を制御するようにした原稿読取装置。
【請求項２】
請求項１記載の原稿読取装置において、
前記第１のモードがA４サイズの原稿シート上の情報を読み取るためのモードであり、
前記第２のモードがA３サイズの原稿シート上の情報を読み取るためのモードであり、
前記第３のモードがA３サイズの原稿シートよりも長尺な原稿シート上の情報を読み取るためのモードである原稿読取装置。
【請求項３】
請求項１記載の原稿読取装置において、
前記第１のモードが設定された場合には、前記制御手段は、少なくとも前記読取ヘッド機構を往動又は復動させるように制御することで前記原稿シート上の情報を読み取る原稿読取装置。
【請求項４】
請求項１記載の原稿読取装置において、
前記第２、第３のモードが設定された場合には、前記制御手段は、前記原稿シート中の前記原稿台上に載置されている領域における情報の読み取り、及び読み取った複数領域に亘り、各領域間において切れ目のない状態で情報の合成が行えるように、前記搬送機構及び／又は前記読取ヘッド機構の移動を適宜制御するようにした原稿読取装置。
【発明の詳細な説明】
【技術分野】
【０００１】
本発明は、原稿シートから画像情報を読み取るための原稿読取装置に関し、特に、所定のサイズより大きい原稿シートから画像情報を読み取るための技術に関する。
【背景技術】
【０００２】
従来、画像処理装置において、使い勝手が良く、装置全体をコンパクトにでき、原稿の読み取り、記録、コピー動作を効率的に行うことができることを目的とした装置が提案されている。
【０００３】
上記提案に係る画像処理装置は、原稿上の画像情報を読み取るためのスキャナと、このスキャナに回転軸を介して回転可能に連結され、記録シートに上記画像情報を印刷するプリンタとを備えた構成になっている（例えば、特許文献１参照）。
【特許文献１】特開２００２−３２６４２３号公報
【発明の開示】
【発明が解決しようとする課題】
【０００４】
上記画像処理装置では、原稿台上に載置した原稿シートの画像情報を原稿台の下方に位置する（画像処理装置内部に設けられた）スキャナを原稿台の長手方向に沿って往復動作させることで読み取るように構成されていた。
【０００５】
そのため、原稿シートの大きさが、原稿台の大きさとほぼ等しいか、それより小さい場合には問題は生じない。
【０００６】
しかし、原稿シートの大きさが、例えば、Ａ３サイズまたはそれ以上（以下、「大版サイズ」という）の場合には、原稿台上に原稿シートの全体を載置しきれないため、そのままでは上記大版サイズの原稿シートから画像情報を読み取るためには、原稿シートのサイズの大きさに応じた原稿台が必要となり、それにより画像処理装置も大型化せざるを得なくなるという問題点があった。
【０００７】
従って本発明の目的は、原稿台の大きさよりも大きな原稿シートであっても、該原稿シート上の画像情報を読み取ることが可能な原稿読取装置を提供することにある。
【課題を解決するための手段】
【０００８】
本発明に従う原稿読取装置は、略矩形状を呈する原稿台の横手方向に沿って原稿シートを往／復動自在に搬送する搬送機構と、上記搬送機構の原稿シート搬送方向と略直交する上記原稿台の長手方向に沿って往／復動自在な、上記原稿台の横手方向と略同一の長さを有する読取ヘッド機構と、上記搬送機構と、上記読取ヘッド機構とを制御する制御手段と、択一的に設定される原稿読取モードであって、上記原稿台の大きさと略同一の面積を有する原稿シート上の情報を読み取る第１のモード、上記原稿台の大きさの略２倍の面積を有する原稿シート上の情報を読み取る第２のモード、及び上記第２のモードにおける読取り対象である原稿シートよりも更に長尺な原稿シート上の情報を読み取る第３のモードを備え、上記制御手段が、上記設定されたいずれか１つのモードに基づき、上記搬送機構又は上記読取ヘッド機構を制御するようにしている。
【０００９】
本発明に係る好適な実施形態では、上記第１のモードがA４サイズの原稿シート上の情報を読み取るためのモードであり、上記第２のモードがA３サイズの原稿シート上の情報を読み取るためのモードであり、上記第３のモードがA３サイズの原稿シートよりも長尺な原稿シート上の情報を読み取るためのモードである。
【００１０】
上記とは別の実施形態では、上記第１のモードが設定された場合には、上記制御手段は、少なくとも上記読取ヘッド機構を往動又は復動させるように制御することで上記原稿シート上の情報を読み取るようにしている。
【００１１】
また、上記とは別の実施形態では、上記第２、第３のモードが設定された場合には、上記制御手段は、上記原稿シート中の上記原稿台上に載置されている領域における情報の読み取り、及び読み取った複数領域に亘り、各領域間において切れ目のない状態で情報の合成が行えるように、上記搬送機構及び／又は上記読取ヘッド機構の移動を適宜制御するようにしている。
【発明の効果】
【００１２】
本発明によれば、原稿台の大きさよりも大きな原稿シートであっても、該原稿シート上の画像情報を読み取ることが可能な原稿読取装置を提供することができる。
【発明を実施するための最良の形態】
【００１３】
以下、本発明の実施の形態を、図面により詳細に説明する。
【００１４】
図１は、本発明の一実施形態に係る原稿読取装置の要部の構成を示す概略の平面図である。
【００１５】
図１において、上記原稿読取装置１は、コントローラ２と、読取ヘッド３と、複数の原稿シート検知センサ４と、原稿台６と、イメージセンサ７とを備える。上記構成に加えて、原稿読取装置１は、原稿抑え版及び原稿シート自動送り装置（例えば、「Auto Document Feeder」以下「ＡＤＦ」という）（いずれも図示しない）も備える。
【００１６】
原稿台６は、原稿シートを載置するためのガラス面を有し、原稿読取装置１の上面に設けられている。上記原稿抑え板（図示しない）は、原稿台６上に載置される原稿シート９を固定するためのもので、原稿台６と同様に、原稿読取装置１の上面に設けられている。
【００１７】
ＡＤＦ（図示しない）も、原稿台６や上記原稿抑え板（図示しない）と同様に、原稿読取装置１の上面に設けられている。ＡＤＦ（図示しない）は、図１において、矢印Ｙ方向に、原稿シート９を自動的に、かつ、連続的に搬送することが可能であり、原稿読取装置１本体に対し、脱着自在に構成されている。
【００１８】
さらに、原稿読取装置１は、図示しないガイドレールを備えている。このガイドレールは、原稿台６の長手方向（即ち、図１におけるＸ−Ｘ'方向）の一端側及び他端側に、それら端部に沿ってそれぞれ配置されており、Ｘ−Ｘ'方向に往復移動する読取ヘッド３をガイドするよう、構成されている。
【００１９】
読取ヘッド３は、図１に記載されている位置、即ち、原稿台６上のＸ−Ｘ'方向の一端側（Ｘ'側）をホームポジションとして、Ｘ−Ｘ'方向にガイドレール（図示しない）によってガイドされて往復移動するよう、構成されている。
【００２０】
読取ヘッド３は、例えば、動力伝達機構である搬送ベルト機構（図示しない）を介して、正／逆回転自在なモータ（図示しない）からの回転駆動力によって往復動作する。読取ヘッド３の上面には、原稿台６上の原稿シート９に光を照射するための光源（図示しない）が設けられており、読取ヘッド３の内部には、原稿シート９からの反射光を受光するためのイメージセンサ７がライン状に配置されている。
【００２１】
イメージセンサ７には、例えば、電荷結合素子（Charge Coupled Device）（以下「ＣＣＤ」という）が採用されている。
【００２２】
原稿シート検知センサ４には、例えば、光学センサ（フォトカプラ）が採用されている。
【００２３】
原稿シート検知センサ４は、発光素子であるＬＥＤから原稿シート９方向へ光を照射し、受光素子であるフォトトランジスタからの出力信号により、原稿シート９の有無を検知する。換言すれば、受光素子からの出力信号が所定値以下になったことで、原稿シート９の始／終端部の通過を検知する。
【００２４】
図２は、原稿読取装置１が備えるコントローラ２の構成を示す機能ブロック図である。
【００２５】
図２に示すように、コントローラ２は、Ｉ／Ｏインタフェース部２１と、ＣＰＵ２２と、ＲＯＭ２３と、イメージメモリ２４と、ＲＡＭ２５とを備える。
【００２６】
Ｉ／Ｏインタフェース部２１は、ＣＣＤ７から出力される原稿シート９上の画像情報、原稿シート検知センサ４から出力される原稿シート９の有無に係る検知情報、原稿シート移動量計測部３２から出力される原稿シート９の移動量情報、及び必要に応じて読取ヘッド移動量計測部３６から出力される読取ヘッド３の移動量情報を入力し、それらの情報をＣＰＵ２２に通知する。Ｉ／Ｏインタフェース部２１は、また、外部のホストコンピュータ（図示しない）から伝達される読取ジョブの指令２６を受けて、これを、ＣＰＵ２２に伝える。Ｉ／Ｏインタフェース部２１は、ＣＰＵ２２からの各種指令信号（ＡＤＦ駆動指令信号、読取ヘッド駆動指令信号、及びＣＣＤ駆動指令信号）を受けて、これら指令信号を、ＡＤＦ駆動部３０、読取ヘッド駆動部３１、及びＣＣＤ駆動部３４に出力する。
【００２７】
ＲＯＭ２３は、ＣＰＵ２２が実行する演算処理動作を規定した制御プログラム等を内蔵する。
【００２８】
イメージメモリ２４は、ＣＰＵ２２の制御下で、ＣＣＤ７が読み取った原稿シート９における１ライン分、又は複数ライン分のイメージを記憶する。イメージメモリ２４は、ＣＰＵ２２からのデータ読み出し要求に応じて、記憶している上記イメージデータをＣＰＵ２２に出力する。
【００２９】
ＲＡＭ２５は、ＣＰＵ２２の制御下で、原稿読取装置１における各種ステータスや、各種機能設定等を記憶する。ＲＡＭ２５は、ＣＰＵ２２からのデータ書き込み要求に応じて、記憶している各種データをＣＰＵ２２に出力し、ＣＰＵ２２からのデータ読み出し要求に応じてＣＰＵ２２を通じて送られてくるデータを一時的に記憶する。
【００３０】
ＣＰＵ２２は、ＲＯＭ２３に格納されている制御プログラムに基づき、必要に応じてイメージメモリ２４及びＲＡＭ２５に記憶されている各種データを適宜参照しながら、Ｉ／Ｏインタフェース部２１を通じて読み込んだ上記各種情報を用いて、所定の演算処理動作を行う。そして、Ｉ／Ｏインタフェース部２１を通じて、ＡＤＦ駆動部３０、読取ヘッド駆動部３１、及びＣＣＤ駆動部３４に制御信号を出力する。なお、ＣＰＵ２２は、例えば、後述する図４に示すようなフローチャートに従って演算処理動作を実行する。
【００３１】
図３は、本発明の一実施形態に係る原稿読取装置１が実行する原稿画像読取動作の一例を示す説明図である。本発明に従う原稿読取装置１では、原稿シート９上の画像情報を読み取るモードとして、「Ａ４原稿読取モード」と、「Ａ３原稿読取モード」と、Ａ３原稿よりも長い「長尺原稿読取モード」の３つのモードのうちの何れか一つを選択的に設定可能となっている。なお、以下に説明する各原稿読取モードでの処理動作においては、コントローラ２による原稿シート移動量計測部３２からの出力情報を読み取る処理が行われる。
【００３２】
図３では、ユーザがＡ４原稿読取モードを選択した時の原稿台６上における読取ヘッド３、及び原稿シート９の動作を示している。
【００３３】
図３において、ユーザがＡ４サイズの原稿シート９の裏面側を上に向けて、該原稿シート９の長手方向に沿う片側の端部を、原稿台６の一方の長手方向に沿う片側の端部に載置すると、該原稿シート９は、ＡＤＦにより、太線矢印方向（Ｙ方向）への搬送が開始される（図３（Ａ））。
【００３４】
該原稿シート９が、太線矢印方向（Ｙ方向）へ移動することで、該原稿シート９の全体が原稿台６上に載置されると、ライン状に配置された複数のＣＣＤ７が原稿画像読取動作を開始する。
【００３５】
上記複数のＣＣＤ７による原稿画像読取動作は、それらのＣＣＤ７を担持した読取ヘッド３が、太線矢印方向（Ｘ方向）への移動を継続しているあいだ行われる（図３（Ｂ））。読取ヘッド３が、太線矢印方向（Ｘ方向）の端部に到達すると、読取ヘッド３はホームポジション（太線矢印方向（Ｘ'方向））に移動し、原稿シート９は、ＡＤＦによって、太線矢印方向（Y方向）へ移動され（図３（Ｃ））、原稿読取装置１より排出される（図３（Ｄ））。
【００３６】
図４は、原稿読取装置１の原稿画像読取動作が、ユーザによってＡ４原稿読取モードに設定された時のコントローラ２の処理動作を示すフローチャートである。
【００３７】
図４において、ユーザがＡＤＦ上に原稿シート９を載置することにより、Ａ４原稿読取モードによる原稿画像読取動作が開始される（ステップＳ１）。コントローラ２は、該原稿画像読取動作が開始されたことを認識すると、読取ヘッド駆動部３１を制御して、読取ヘッド３をそのホームポジションに固定させる（ステップＳ２）。
【００３８】
次に、コントローラ２は、ＡＤＦ駆動部３０に制御信号を出力することにより、ＡＤＦを駆動（ステップＳ３）することで、原稿シート９全体が原稿台６上の読み取り可能な領域に収まるまで紙（原稿シート９）送りを開始する（ステップＳ４）。原稿シート移動量計測部３２からの出力信号により、原稿シート９の全体が原稿台６上の読み取り可能な領域に収まったと認識すると（ステップＳ５でＹｅｓ）、コントローラ２は、ＡＤＦ駆動部３０に駆動停止指令を出力することにより、ＡＤＦの駆動を停止させる（ステップＳ６）。
【００３９】
次に、コントローラ２は、ＣＣＤ駆動部３４に制御信号を出力することにより、ＣＣＤ７を駆動させると共に（ステップＳ７）、読取ヘッド駆動部３１を制御して、読取ヘッド３を駆動させる。これにより、読取ヘッド３は、原稿台６上をＸ−Ｘ'方向の一端側（即ちＸ側）へ向けて移動しつつ、画像情報の読取動作を実行する（ステップＳ８）。
【００４０】
コントローラ２は、読取ヘッド移動量計測部３６からの出力信号により、読取ヘッド３が上記一端側まで到達したことを認識すると、読取ヘッドをホームポジションに移動する（ステップＳ９）。これにより、画像情報の読み取りが完了した原稿シート９が、原稿読取装置１から排出され（ステップＳ１０）、一連の処理動作が終了する。
【００４１】
図３及び図４に示したＡ４原稿読取モードによる原稿読取動作を実施することにより、既存の原稿読取装置による原稿画像の読み取りよりも高速で原稿画像の読み取りを行うことが可能になる。
【００４２】
図５及び図６は、本発明の他の実施形態に係る原稿読取装置１が実行する原稿画像読取動作の一例を示す説明図である。図５及び図６では、ユーザがＡ３原稿読取モードを選択した時の、原稿台６上における読取ヘッド３、及び原稿シート９の動作を示している。なお、図５において、図５（Ａ）で示した記載内容は、図３（Ａ）で示した記載内容と同一であるので、その詳細な説明は省略する。
【００４３】
図５及び図６において、原稿シート９が、太線矢印方向（Ｙ方向）へ移動することで、Ａ３サイズの原稿シート９の略半分が原稿台６上に載置されると、ライン状に配置された複数のＣＣＤ７が原稿画像読取動作を開始する（図５（Ｂ））。
【００４４】
上記複数のＣＣＤ７による原稿画像読取動作は、それらのＣＣＤ７を担持した読取ヘッド３が、太線矢印方向（Ｘ方向）への移動を継続しているあいだ行われる（図５（Ｃ））。読取ヘッド３が、太線矢印方向（Ｘ方向）の端部に到達すると、ＡＤＦによって、Ａ３サイズの原稿シート９の残り略半分を太線矢印方向（Y方向）へ移動させる。ＡＤＦによる原稿シート９の太線矢印方向（Y方向）への移動が終了すると、読取ヘッド３が、太線矢印方向（Ｘ'方向）への移動を開始し（図６（Ａ））、複数のＣＣＤ７による原稿画像読取動作が行われ、その後、ＡＤＦによって、原稿シート９の太線矢印方向（Y方向）への移動が開始され、原稿読取装置１より排出される（図６（Ｂ））。
【００４５】
図７及び図８は、原稿読取装置１の原稿画像読取動作が、ユーザによってＡ３原稿読取モードに設定された時のコントローラ２の処理動作を示すフローチャートである。なお、図７において、ステップＳ２１乃至ステップＳ２３で示した内容は、図４におけるステップＳ１乃至ステップＳ３で示した内容と同一であるので、それらの詳細な説明は省略する。
【００４６】
図７において、Ａ３サイズの原稿シート９の略半分を、原稿台６上の読み取り可能な領域に収まるまで紙送りを開始する（ステップＳ２４）。原稿シート移動量計測部３２からの出力信号により、Ａ３サイズの原稿シート９の略半分が、原稿台６上の読み取り可能な領域に収まったと認識すると（ステップＳ２５でＹｅｓ）、コントローラ２は、ＡＤＦ駆動部３０に駆動停止指令を出力することにより、ＡＤＦの駆動を停止させる（ステップＳ２６）。
【００４７】
次に、コントローラ２は、ＣＣＤ駆動部３４に制御信号を出力することにより、ＣＣＤ７を駆動させると共に（ステップＳ２７）、読取ヘッド駆動部３１を制御して、読取ヘッド３を駆動させる。これにより、読取ヘッド３は、原稿台６上をＸ−Ｘ'方向の一端側（即ちＸ側）へ向けて移動しつつ、画像情報の読取動作を実行する（ステップＳ２８）。
【００４８】
コントローラ２は、読取ヘッド移動量計測部３６からの出力信号により、読取ヘッド３が上記一端側まで到達したことを認識すると、ＡＤＦの駆動を再開する（ステップＳ２９）。そして、Ａ３サイズの原稿シート９の残り略半分を、読み取り可能な領域に収めるまで紙送りを行う（ステップＳ３０）。
【００４９】
コントローラ２は、原稿シート移動量計測部３２からの出力信号により、Ａ３サイズの原稿シート９の残り略半分が、原稿台６上の読み取り可能な領域に収まったと認識すると（ステップＳ３１でＹｅｓ）、ＡＤＦ駆動部３０に駆動停止指令を出力することにより、ＡＤＦの駆動を停止させると共に（ステップＳ３２）、読取ヘッド駆動部３１を制御して、読取ヘッド３を駆動させる。これにより、読取ヘッド３は、原稿台６上をＸ−Ｘ'方向の一端側（即ちＸ'側）へ向けて移動しつつ、画像情報の読取動作を実行する（ステップＳ３３）。これにより、画像情報の読み取りが完了した原稿シート９が、原稿読取装置１から排出され（ステップＳ３４）、ステップＳ２８及びステップＳ３３において、それぞれ読み取った複数の原稿画像情報同士を合成した後（ステップＳ３５）、一連の処理動作が終了する。
【００５０】
図５、図６、図７及び図８に示したＡ３原稿読取モードによる原稿読取動作を実施することにより、既存の原稿読取装置による原稿画像の読み取りよりも高速で、かつ、切れ目のない良質の合成画像を得ることが可能になる。
【００５１】
図９及び図１０は、図５及び図６で示したＡ３原稿読取モードの変形例を示す説明図である。図９では、ユーザが、長尺原稿読取モードを選択した時の、原稿台６上における読取ヘッド３及び原稿シート９の動作を示している。なお、図９において、図９（Ａ）で示した記載内容は、図５（Ａ）で示した記載内容と同一であるので、その詳細な説明は省略する。
【００５２】
図９及び図１０において、原稿シート９が、太線矢印方向（Ｙ方向）へ移動することで、長尺の原稿シート９が、読取ヘッド３の長尺方向の長さ分だけ原稿台６上に載置されると、ライン状に配置された複数のＣＣＤ７が原稿画像読取動作を開始する（図９（Ｂ））。
【００５３】
上記複数のＣＣＤ７による原稿画像読取動作は、それらのＣＣＤ７を担持した読取ヘッド３が、太線矢印方向（Ｘ方向）への移動を継続しているあいだ行われる（図９（Ｃ））。読取ヘッド３が、太線矢印方向（Ｘ方向）の端部に到達すると、ＡＤＦによって、長尺の原稿シート９が、読取ヘッド３の長尺方向の長さ分だけ太線矢印方向（Y方向）へ移動される。ＡＤＦによる原稿シート９の太線矢印方向（Y方向）への移動が終了すると、読取ヘッド３が、太線矢印方向（Ｘ'方向）への移動を開始し（図１０（Ａ））、複数のＣＣＤ７による原稿画像読取動作が行われる（図１０（Ｂ））。
【００５４】
図１１及び図１２は、図７及び図８で示したＡ３原稿読取モードの変形例における、コントローラ２の処理動作を示すフローチャートである。なお、図１１において、ステップＳ４１乃至ステップＳ４３、及びステップＳ４６乃至ステップＳ４８で示した内容は、図７におけるステップＳ２１乃至ステップＳ２３、及びステップＳ２６乃至ステップＳ２８で示した内容と同一であるので、それらの詳細な説明は省略する。
【００５５】
図１１において、長尺の原稿シート９を、読取ヘッドの上述した長さ分だけ、紙送りを開始する（ステップＳ４４）。原稿シート移動量計測部３２からの出力信号により、長尺の原稿シート９が読取ヘッドの上述した長さ分だけ紙送りされたと認識すると（ステップＳ４５でＹｅｓ）、コントローラ２は、図７のステップＳ４６乃至ステップＳ４８までの動作を行う。
【００５６】
コントローラ２は、読取ヘッド移動量計測部３６からの出力信号により、読取ヘッド３が上記一端側まで到達したことを認識すると、原稿シート検知センサ４を通じて、原稿シート９の搬送方向終端側を検知する（ステップＳ４９）。原稿シート検知センサ４からの制御信号に基づいて、原稿シート９の搬送方向終端側が原稿シート検知センサ４の設置位置を通過したことを認識すると（ステップＳ４９でＹｅｓ）、ＣＣＤ駆動部３４に駆動停止指令を出力することによりＣＣＤ７の駆動を停止させると共に、ＡＤＦ駆動部３０に駆動停止指令を出力することにより、ＡＤＦの駆動を停止させる。これにより、画像情報の読み取りが完了した長尺の原稿シート９が、原稿読取装置１から排出され（ステップＳ５７）、一連の処理動作が終了する。
【００５７】
長尺の原稿シート９の搬送方向終端側が、原稿シート検知センサ４の設置位置を通過したことを認識しない場合には（ステップＳ４９にてＮｏ）、コントローラ２は、ＡＤＦ駆動部３０へ制御信号を出力することで、ＡＤＦの駆動を再開する（ステップＳ５０）。そして、長尺の原稿シート９を読取ヘッドの横手軸の長さ分より若干少ない分だけ紙送りを行う（ステップＳ５１）。原稿シート移動量計測部３２からの出力信号により、長尺の原稿シート９を読取ヘッドの横手軸の長さ分より若干少ない分だけ紙送りされたと認識すると（ステップＳ５２でＹｅｓ）、コントローラ２は、ＡＤＦ駆動部３０に駆動停止指令を出力することにより、ＡＤＦの駆動を停止させると共に（ステップＳ５３）、原稿シート検知センサ４を通じて、原稿シート９の有／無を検知し、その検知結果をＲＡＭ２５に記憶させる（ステップＳ５４）。
【００５８】
次に、コントローラ２は、読取ヘッド駆動部３１を通じて、読取ヘッド３をそのホームポジション方向に向けて移動させながら、ＣＣＤ７を通じて原稿画像情報の読取動作を実行する（ステップＳ５５）。
【００５９】
この読取動作においては、ステップＳ４８において読み取られた画像情報の一部（読み取られた原稿画像領域の搬送方向終端寄りの部位）が重複して読み取られる。
【００６０】
コントローラ２は、読取ヘッド移動量計測部３６からの出力信号により、読取ヘッド３が上述したＸ'側の端に到達したことを認識すると、ＲＡＭ２５に記憶されている内容を参照する。そして、上述した原稿シート９の有／無に係る検知情報をチェックする（ステップＳ５６）。
【００６１】
上記チェックの結果、原稿シート９有りの検知情報が記憶されていることを認識すると、コントローラ２は、ステップＳ４９乃至ステップＳ５６においてそれぞれ示した処理動作を継続する。
【００６２】
一方、上記チェックの結果、原稿シート９無しの検知情報が記憶されていることを認識すると、ＣＣＤ駆動部３４を通じてＣＣＤ７の駆動を停止すると共に、ＡＤＦ駆動部３０を通じて、ＡＤＦの駆動を停止させる。これにより、画像情報の読み取りを完了した原稿シート９が原稿読取装置１から排出され（ステップＳ５８）、ステップＳ４８及びステップＳ５５において、それぞれ読み取った複数の原稿画像情報同士を合成した後（ステップＳ５９）、一連の処理動作が完了する。
【００６３】
図９、図１０、図１１及び図１２に示した長尺原稿読取モードによる原稿読取動作を実施することにより、Ａ３サイズよりも大きな長尺の原稿シート９上の情報を、高速で、かつ、精度のよい画質で読み取ることが可能となる。
【００６４】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【００６５】
上述した各実施形態においては、外部のホストコンピュータ（図示しない）から伝送される読取ジョブ指令２６に基づいて、コントローラ２が原稿シート９上の画像情報の読み取りに係る処理動作を実行することとしたが、原稿読取装置１の操作部（図示しない）を通じてユーザから与えられる指令に基づいて、コントローラ２が上記処理動作を実行するようにしても差支えない。
【図面の簡単な説明】
【００６６】
【図１】本発明の一実施形態に係る原稿読取装置の要部の構成を示す概略の平面図。
【図２】図１に記載の原稿読取装置が備えるコントローラの構成を示す機能ブロック図。
【図３】図１に記載の原稿読取装置が実行する原稿画像読取動作の一例を示す説明図。
【図４】図１に記載の原稿読取装置の原稿画像読取動作が、ユーザによってＡ４原稿読取モードに設定された時のコントローラの処理動作を示すフローチャート。
【図５】本発明の他の実施形態に係る原稿読取装置が実行する原稿画像読取動作の一例を示す説明図。
【図６】本発明の他の実施形態に係る原稿読取装置が実行する原稿画像読取動作の一例を示す説明図。
【図７】図１に記載の原稿読取装置の原稿画像読取動作が、ユーザによってＡ３原稿読取モードに設定された時のコントローラの処理動作を示すフローチャート。
【図８】図１に記載の原稿読取装置の原稿画像読取動作が、ユーザによってＡ３原稿読取モードに設定された時のコントローラの処理動作を示すフローチャート。
【図９】図５、及び図６で示したＡ３原稿読取モードの変形例を示す説明図。
【図１０】図５、及び図６で示したＡ３原稿読取モードの変形例を示す説明図。
【図１１】図７及び図８で示したＡ３原稿読取モードの変形例における、コントローラの処理動作を示すフローチャート。
【図１２】図７及び図８で示したＡ３原稿読取モードの変形例における、コントローラの処理動作を示すフローチャート。
【符号の説明】
【００６７】
１…原稿読取装置、２…コントローラ、３…読取ヘッド、４…原稿シート検知センサ、６…原稿台、７…ＣＣＤ（イメージセンサ）、９…原稿シート、２１…Ｉ／Ｏインタフェース部、２２…ＣＰＵ、２３…ＲＯＭ、２４…イメージメモリ、２５…ＲＡＭ、２６…読取ジョブ指令、３０…ＡＤＦ駆動部、３１…読取ヘッド駆動部、３２…原稿シート移動量計測部、３４…ＣＣＤ駆動部、３６…読取ヘッド移動量計測部。
【図１】
2007214982.tif 000003
【図２】
2007214982.tif 000004
【図３】
2007214982.tif 000005
【図４】
2007214982.tif 000006
【図５】
2007214982.tif 000007
【図６】
2007214982.tif 000008
【図７】
2007214982.tif 000009
【図８】
2007214982.tif 000010
【図９】
2007214982.tif 000011
【図１０】
2007214982.tif 000012
【図１１】
2007214982.tif 000013
【図１２】
2007214982.tif 000014